(57)【要約】【課題】搬送対象容器の側部の段面に対する、容器支持手段の容器支持用ピンの水平横方向の係脱運動を、確実且つ容易に行わせる。【解決手段】容器支持手段１１は、容器１のある側で水平方向に突出後退移動自在で且つ容器支持手段１１の正面部材２２から突出する位置に付勢保持された多数の容器支持用ピン１７ａを配設した剣山状構造のものであって、容器１に対する接近移動により、当該容器１の外側に形成された下向き段面（張出しリブ１ａの垂直壁部の下端面）の下側に入り込んだ容器支持用ピン１７ａにより、容器１を持ち上げ可能に支持するように構成され、容器支持用ピン１７ａの前記正面部材２２から突出しているピン本体１８が、軸心に対して直角の平坦先端面１８ａを備えると共に、当該平坦先端面１８ａに近いほど直径が大きくなる先太りテーパーピン状に構成されている。【選択図】図８
2020007080.tif 000002
【特許請求の範囲】
【請求項１】
物品搬送用容器に対し水平方向に接近離間移動自在で且つ昇降自在な、少なくとも二組の容器支持手段を備え、これら容器支持手段は、前記容器のある側で水平方向に突出後退移動自在で且つ突出位置に付勢保持された多数の容器支持用ピンを配設した剣山状構造のものであって、前記容器に対する接近移動により、当該容器の外側に形成された下向き段面の下側に入り込んだ前記容器支持用ピンにより、前記容器を持ち上げ可能に支持するように構成された物品搬送用容器の昇降搬送装置において、
前記容器支持用ピンの前記容器支持手段から突出しているピン本体が、軸心に対して直角の平坦先端面を備えると共に、当該平坦先端面に近いほど直径が大きくなる先太りテーパーピン状に構成されている、物品搬送用容器の昇降搬送装置。
【請求項２】
前記容器支持用ピンのピン本体は、側面視において上下に隣り合うピン本体の先端が互いに一部重なるように配列されている、請求項１に記載の物品搬送用容器の昇降搬送装置。
【請求項３】
前記容器支持用ピンは、前記ピン本体と、このピン本体の後端に同心状に連設されたフランジ部、及びこのフランジ部から後方に同心状に連設された軸部から構成され、容器支持手段には、正面部材に前記ピン本体が貫通する前側貫通孔が設けられると共に、背面部材に前記軸部が貫通する後ろ側貫通孔が設けられ、前記フランジ部と前記背面板材との間の前記軸部に、この容器支持用ピンを突出方向に付勢して前記フランジ部を正面部材の裏面に圧接させる圧縮コイルバネが嵌合され、前記ピン本体が貫通する前側貫通孔は、この先太りテーパーピン本体の最大径先端が貫通移動出来る直径のもので、この前側貫通孔と前記ピン本体との間の環状空間の範囲内で、前記容器支持用ピンが首振り運動可能に構成されている、請求項１又は２に記載の物品搬送用容器の昇降搬送装置。
【発明の詳細な説明】
【技術分野】
【０００１】
本発明は、物品搬送用容器を両側から支持して昇降させる少なくとも二組の容器支持手段を備えた物品搬送用容器の昇降搬送装置に関するものである。
【背景技術】
【０００２】
この種の物品搬送用容器が、両手で持ち上げて運ぶことが出来る、上側解放のプラスチック製小型容器である場合に好適な物品搬送用容器の昇降搬送装置として、特許文献１に記載されるように、物品搬送用容器に対し水平方向に接近離間移動自在で且つ昇降自在な、少なくとも二組の容器支持手段を備え、これら容器支持手段は、前記容器のある側で水平方向に突出後退移動自在で且つ突出位置に付勢保持された多数の容器支持用ピンを配設したものであって、前記容器に対する接近移動により、当該容器の外側面から水平外向きに張り出す張出しリブの下側に入り込んだ前記容器支持用ピンにより、前記容器を支持するように構成されたものである。而して、このような昇降搬送装置で取り扱われる物品搬送用容器として、その外側面から水平外向きに張り出す張出しリブの位置や厚み、或いは張出リブが上下２段に設けられている場合の張出しリブ間の空間の位置や高さが一定しない、各種の容器が使用される場合がある。このような場合にも、所期通りの容器支持作用を発揮出来るように、水平方向と垂直方向に適当間隔おきに多数が剣山状に配設されている容器支持用ピンを、特許文献１にも記載されるように、先細りのテーパーピンとしていた。
【先行技術文献】
【特許文献】
【０００３】
【特許文献１】特開２０１７−４３４１７号公報
【発明の概要】
【発明が解決しようとする課題】
【０００４】
上記の先細りのテーパーピンから成る容器支持用ピンであれば、上記のように容器側の構造が多少異なっても、張出リブが存在しておれば、その張出リブの下側に容器支持用ピンを確実に入り込ませることが出来ると考えられていたが、現実には、容器支持用ピンが先細りのテーパーピンであるがために、側面視において１つの張出しリブ又は上下２つの張出しリブを上下２本の容器支持用ピンが上下から挟むような場合や、側面視において上下２つの張出しリブの内側に上下２本の容器支持用ピンの先端部が入り込んでゆくような場合、容器支持用ピンの小径の先端部が張出しリブの側面に隣接する状態から当該容器支持用ピンが張出しリブと重なる方向に進出移動するのに伴って当該ピンの張出しリブに隣接する箇所の外径が大きく変化してゆくので、これら容器支持用ピンの周面が張出しリブの側面に圧接し始め、その圧接力が容器支持用ピンの進出に伴って漸増し、最終的には、張出しリブとの間の摩擦抵抗によって物品搬送用容器に対する容器支持用ピンの進出移動が不能になり、その後は容器支持用ピンを突出方向に付勢するスプリングが圧縮されて、容器支持用ピンと張出しリブとの間の摩擦力が更に増大することになる。この結果、所定の場所に搬送した後に容器支持手段を容器から遠ざける方向に水平移動させたとき、上記のように容器側の張出しリブに大きな摩擦力で圧接している容器支持用ピンを張出しリブから水平に抜き取ることが困難になり、容器を引き摺って当該容器の位置や姿勢を変えてしまうことがあった。
【課題を解決するための手段】
【０００５】
本発明は、上記のような従来の問題点を解消することのできる物品搬送用容器の昇降搬送装置を提案するものであって、本発明に係る物品搬送用容器の昇降搬送装置は、後述する実施例との関係を理解し易くするために、当該実施例の説明において使用した参照符号を括弧付きで付して示すと、物品搬送用容器(1)に対し水平方向に接近離間移動自在で且つ昇降自在な、少なくとも二組の容器支持手段(11,12)を備え、これら容器支持手段(11,12)は、前記容器(1)のある側で水平方向に突出後退移動自在で且つ容器支持手段(11,12)の正面部材(22)から突出する位置に付勢保持された多数の容器支持用ピン(17a,17b)を配設した剣山状構造のものであって、前記容器(1)に対する接近移動により、当該容器(1)の外側に形成された下向き段面（張出しリブ１ａの垂直壁部の下端面）の下側に入り込んだ前記容器支持用ピン(17a,17b)により、前記容器(1)を持ち上げ可能に支持するように構成された物品搬送用容器の昇降搬送装置において、
前記容器支持用ピン(17a,17b)の前記容器支持手段(11,12)の正面部材(22)から突出しているピン本体(18)が、軸心に対して直角の平坦先端面(18a)を備えると共に、当該平坦先端面(18a)に近いほど直径が大きくなる先太りテーパーピン状に構成されている。
【発明の効果】
【０００６】
上記の本発明の構成によれば、容器支持手段の移動に伴って容器支持用ピンが物品搬送用容器の張出しリブに隣接する位置で当該容器側へ進出移動出来るのは、容器支持用ピンのピン本体の最大径の平坦先端面が、当該ピン本体の軸心方向から見て前記張出しリブに対して重なっていないことが条件になる。若し重なっていれば、容器支持手段の移動に伴って容器支持用ピンが物品搬送用容器側に接近移動したとき、当該容器支持用ピンのピン本体の最大径の平坦先端面が張出しリブの正面に当接し、それ以上の容器支持用ピンの進出移動は行われない。仮に張出しリブの正面の水平角が面取りされている、或いは前記ピン本体の最大径の平坦先端面の周縁角が面取りされていることによって、前記ピン本体の最大径の先端が張出しリブの前記面取りされている角に沿って張出しリブの水平側面に乗り上げる場合でも、前記ピン本体の全体が最大径の平坦先端面と同一外径の円柱状体である場合のように、容器支持手段が物品搬送用容器側への移動限に達したとき、前記ピン本体と張出しリブとの重なり領域の全長にわたって両者が摺接することはなく、あくまでピン本体の最大径の先端だけが張出しリブの水平側面と摺接するだけである。
【０００７】
以上の理由により、上記の本発明の構成では、従来の先細りテーパーピン状の容器支持用ピンを使用したときのように、容器支持用ピンと物品搬送用容器側の張出しリブとの上下方向の位置関係により、両者が側面どうし甚大な摩擦力を伴って圧接し合うような状況になることは皆無となり、仮に両者が互いに摺接し合うような状況になったとしても、その容器支持用ピン側の張出しリブとの摺接箇所は、ピン本体の最大径の先端の周囲一箇所だけであり、そのときの両者間の摩擦力も極小さなものである。従って、容器支持手段が物品搬送用容器側への前進限に達したときには、張出しリブの正面に付勢力で平坦先端面が圧接する容器支持用ピンが存在するだけで、その他の容器支持用ピンは、実質的に張出しリブの水平側面に圧接することなく進出限位置に到達しているので、容器支持手段の上昇移動により、張出しリブの直下に位置する容器支持用ピンと当該張出しリブとを介して容器支持手段により物品搬送用容器を支持して吊り上げることが出来る。そしてこの物品搬送用容器を降下させて目的の場所に降ろした後、容器支持手段を物品搬送用容器から後退移動させて、容器支持用ピンを張出しリブと重なる領域から横方向に逃がす場合も、従来のように物品搬送用容器側の張出しリブの水平側面に対し甚大な摩擦力を伴って圧接している容器支持用ピンは存在しないので、特別な抵抗を受けることなく容器支持手段を所定位置まで後退移動させることが出来、従来のように物品搬送用容器を引き摺ってその位置や姿勢を変化させてしまう恐れも無くなる。
【０００８】
本発明を実施する場合、具体的には、前記容器支持用ピン(17a,17b)のピン本体(18)は、側面視において上下に隣り合うピン本体(18)の先端が互いに一部重なるように配列することが出来る。従来の先細りテーパーピン状容器支持用ピンを使用する構造において上記のように側面視において上下に隣り合うピン本体の先端が互いに一部重なるように配列しようとすると、同一縦列上で上下に隣り合う容器支持用ピン間の間隔を異常に縮小させなければならないが、本発明では、根元が細くなる先太りテーパーピン状のピン本体であるから、同一縦列上で上下に隣り合う容器支持用ピンの根元間に構造上必要な間隔を無理なく確保することが出来る。この容器支持用ピン(17a,17b)の縦列を２列、側面視において一方の縦列の上下に隣り合う２本の容器支持用ピン(17a,17b)間の丁度中央位置に他方の縦列の容器支持用ピン(17a,17b)が位置するように配列して、上記のように側面視において上下に隣り合うピン本体(18)（異なる縦列の容器支持用ピン(17a,17b)のピン本体(18)）の先端が互いに一部重なる構成とし、厚さの薄い張出しリブであっても、側面視において上下に隣り合うピン本体間に張出しリブが無理やり入り込むような現象も皆無とすることが出来る。
【０００９】
更に、前記容器支持用ピン(17a,17b)は、前記ピン本体(18)と、このピン本体(18)の後端に同心状に連設されたフランジ部(19)、及びこのフランジ部(19)から後方に同心状に連設された軸部(20,21)から構成し、容器支持手段(11,12)には、正面部材(22)に前記ピン本体(18)が貫通する前側貫通孔(23a)を設けると共に、背面部材(24)に前記軸部(21)が貫通する後ろ側貫通孔(23b)を設け、前記フランジ部(19)と前記背面板材(24)との間の前記軸部(20,21)に、この容器支持用ピン(17a,17b)を突出方向に付勢して前記フランジ部(19)を正面部材(22)の裏面に圧接させる圧縮コイルバネ(25)を嵌合し、前記ピン本体(18)が貫通する前側貫通孔(23a)は、この先太りテーパーピン状のピン本体(18)の最大径先端部が貫通移動出来る直径のものとして、この前側貫通孔(23a)と前記ピン本体(18)との間の環状空間の範囲内で、前記容器支持用ピン(17a,17b)が首振り運動出来るように構成することが出来る。このような構造を採用しないで、例えば前記フランジ部又はこのフランジ部から後方に同心状に連設された大径軸部を、軸心方向摺動のみ可能に支持する軸受けを採用して、先太りテーパーピン状のピン本体の首振り運動が実質的に行われないように構成することも可能であるが、敢えて上記のように先太りテーパーピン状のピン本体の首振り運動を可能に構成することにより、側面視において、仮に前記ピン本体の最大径の先端部が張出しリブの水平側面に乗り上げて摺接するような状況が生じても、当該ピン本体が張出しリブの水平側面から離れる方向に傾動して、当該ピン本体の最大径の先端部と張出しリブの水平側面との間の摩擦を大巾に軽減することが出来る。
【図面の簡単な説明】
【００１０】
【図１】図１は、搬送対象容器に対して開いた状態にある把持装置を示す平面図である。
【図２】図２は、搬送対象容器に対して閉じた状態にある把持装置を示す平面図である。
【図３】図３は、上下二段の容器支持手段を備えた把持装置の要部を示す側面図である。
【図４】図４は、図３に示す把持装置の下段の容器支持手段が容器を支持する状態を示す側面図である。
【図５】図５Ａは、容器支持手段を示す正面図、図５Ｂは、同側面図である。
【図６】図６Ａは、容器支持手段の平面図、図６Ｂは、同容器支持手段の横断平面図である。
【図７】図７Ａは、容器支持手段の１つの容器支持用ピンの非作用状態を示す縦断側面図、図７Ｂは、同容器支持用ピンが外力を受けて後退移動した状態を示す縦断側面図である。
【図８】図８Ａは、従来の容器支持用ピンが上下の張出しリブ間に圧入された状態を示す縦断側面図、図８Ｂは、本発明の容器支持用ピンが、図８Ａと同一条件下で上下の張出しリブに対して作用した状態を示す縦断側面図である。
【図９】図９Ａは、従来の容器支持用ピンが１つの張出しリブを上下から挟む状態を示す縦断側面図、図９Ｂは、本発明の容器支持用ピンが、図９Ａと同一条件下で張出しリブに対して作用した状態を示す縦断側面図である。
【図１０】図１０Ａは、従来の容器支持用ピンが倒立Ｌ型の張出しリブを上下から挟む状態を示す縦断側面図、図１０Ｂは、本発明の容器支持用ピンが、図１０Ａと同一条件下で倒立Ｌ型の張出しリブに対して作用した状態を示す縦断側面図である。
【発明を実施するための形態】
【００１１】
添付図に示す本実施例の物品搬送用容器の昇降搬送装置は、本願の出願人が先に出願して特許になった先願発明（特開２０１６−３０６９号公報）の明細書及び図面に示されたものと基本構造は同一のものであり、図１〜図３に示すように、両手で持ち上げて運ぶことが出来る程度に小型で、プラスチック製の段積み可能な物品搬送用容器（以下、容器と略称する）１を吊り上げて搬送するものであって、この昇降搬送装置の平面視における中心位置ＣＰを通り且つ互いに直交する水平縦方向仮想線Ｘと水平横方向仮想線Ｙの内、前記中心位置ＣＰに置かれた容器１の水平縦方向仮想線Ｘと平行な両側辺を支持する一対の容器支持装置２Ａ，２Ｂと、この容器１の四隅に嵌合して位置決めする４つの位置決め部材３ａ〜４ｂを備えている。以下、水平縦方向仮想線Ｘと平行な方向を水平縦方向、水平横方向仮想線Ｙと平行な方向を水平横方向として説明する。
【００１２】
水平横方向一対の容器支持装置２Ａ，２Ｂの上方には、水平縦方向に長い水平部材からなり且つ、水平縦方向仮想線Ｘに対し対称位置を保って水平横方向に互いに接近離間移動自在な横動台５Ａ，５Ｂが設けられ、この横動台５Ａ，５Ｂの水平横方向仮想線Ｙと交差する中央内側に、支柱部材６ａ，６ｂが昇降自在に取り付けられ、これら各支柱部材６ａ，６ｂの内側同一高さに容器支持装置２Ａ，２Ｂが取り付けられている。又、各横動体５Ａ，５Ｂの長さ方向の両端部には、水平横方向仮想線Ｙに対し対称位置を保って水平縦方向に互いに接近離間移動自在に可動台７ａ〜８ｂが支持され、これら各可動台７ａ〜８ｂに前記各位置決め部材３ａ〜４ｂが昇降自在に支持されている。各位置決め部材３ａ〜４ｂは、容器１の四隅に嵌合し得る向きの横断面Ｌ字形の、垂直上下方向に長い形材から構成されている。
【００１３】
上記構成によれば、両横動台５Ａ，５Ｂを水平横方向に互いに接近移動させると同時に、各横動台５Ａ，５Ｂに対して各可動台７ａ〜８ｂを水平縦方向に互いに接近移動させることにより、図２に示すように、水平横方向一対の容器支持装置２Ａ，２Ｂで容器１の水平横方向両側辺中央部を支持させると同時に、各位置決め部材３ａ〜４ｂを、容器１の四隅に嵌合させることが出来る。両横動台５Ａ，５Ｂは、容器保管エリアの床面上方一定高さで、水平縦方向と水平横方向とに走行可能な搬送台車上に支持されるものであり、各容器支持装置２Ａ，２Ｂが取り付けられた支柱部材６ａ，６ｂは、当該支柱部材６ａ，６ｂの水平縦方向両側に張り出すように、当該支柱部材６ａ，６ｂの下端に取り付けられた水平部材９の両端部に下端が連結された、それぞれ２本の昇降駆動用平ベルト１０ａ，１０ｂを介して、各横動台５Ａ，５Ｂに対し昇降駆動される。各容器支持装置２Ａ，２Ｂと同一の横動台５Ａ，５Ｂに可動台７ａ〜８ｂを介して支持されている位置決め部材３ａ，３ｂ及び４ａ，４ｂは、その中間に位置する支柱部材６ａ，６ｂの昇降運動と連動して、各可動台７ａ，７ｂ及び８ａ，８ｂに対し昇降運動するものである。
【００１４】
水平横方向一対の容器支持装置２Ａ，２Ｂは、支柱部材６ａ，６ｂの下端部に取り付けられた下側容器支持手段１１と、この下側容器支持手段１１より適当距離だけ上方に離れた位置で支柱部材６ａ，６ｂに取り付けられた上側容器支持手段１２を備えている。各容器支持手段１１，１２は同一構造のものであって、図５Ａ〜図６Ｂに示すように、支柱部材６ａ，６ｂの前後方向両側に配置された縦長の並列ケーシング１１ａ〜１２ｂを備え、この並列ケーシング１１ａ，１１ｂ間及び１２ａ，１２ｂ間に、支柱部材６ａ，６ｂの内側に付設された昇降用ガイドレール１３に昇降自在に嵌合する上下一対のガイドブロック１４が取り付けられることにより、下側容器支持手段１１と上側容器支持手段１２が支柱部材６ａ，６ｂに対して昇降自在となっている。下側容器支持手段１１は、支柱部材６ａ，６ｂの下端に取り付けられた水平部材９上に受け座１５を介して支持され、上側容器支持手段１２は、支柱部材６ａ，６ｂの中間高さに付設された受け座１６によって所定高さに支持されている。
【００１５】
図５Ａ及び図５Ｂに示すように、各ケーシング１１ａ〜１２ｂには、図１に示す平面視において水平横方向仮想線Ｙに対し前後対称位置でそれぞれ縦２列に容器支持用ピン１７ａ，１７ｂが支持されている。従って平面視において、内側縦列の２つの同一高さの容器支持用ピン１７ａ間の水平方向の間隔は狭く、外側縦列の２つの同一高さの容器支持用ピン１７ｂの水平方向の間隔は広い。内側縦列の容器支持用ピン１７ａと外側縦列の容器支持用ピン１７ｂは、上下方向の間隔が全て同一であるが、外側縦列の容器支持用ピン１７ｂが、内側縦列の上下に隣り合う２つの容器支持用ピン１７ａ間の中央高さに位置するように千鳥状に配列されている。
【００１６】
全ての容器支持用ピン１７ａ，１７ｂは、図６Ｂ〜図７Ｂに示すように、ピン本体１８、このピン本体１８の後ろ側に同心状に連設されたフランジ部１９、当該フランジ部１９から後方に同心状に連設された太軸部２０、及びこの太軸部２０から後方に同心状に連設された細軸部２１から構成されている。ピン本体１８は、フランジ部１９に隣接する基部が最小径であり、先端が最大径となる先太りテーパーピン状のものであって、最大径の先端は、この容器支持用ピン１７ａ，１７ｂの軸心に対し直角向きの先端平坦面１８ａとなっている。この容器支持用ピン１７ａ，１７ｂは、各ケーシング１１ａ，１１ｂ及び１２ａ，１２ｂに共通の板状の正面部材２２に設けられた前側貫通孔２３ａにピン本体１８が貫通し、各ケーシング１１ａ〜１２ｂの板状の背面部材２４に前記前側貫通孔２３ａと同心状に設けられた後ろ側貫通孔２３ｂに細軸部２１が貫通することにより、正面部材２２と背面部材２４によって各容器支持用ピン１７ａ，１７ｂが水平に出退移動自在に支持されている。前側貫通孔２３ａは、先太りテーパーピン状のピン本体１８の先端最大径より少し大きな直径である。そしてフランジ部１９と背面部材２４との間で太軸部２０及び細軸部２１に圧縮コイルバネ２５が遊嵌され、この圧縮コイルバネ２５の付勢力により、フランジ部１９が正面部材２２の裏面に圧接される向きに容器支持用ピン１７ａ，１７ｂが付勢されている。２６は、正面部材２２の左右両外側辺と各背面部材２４の外側辺とを連結する板状の側面部材である。
【００１７】
以上のように構成された昇降搬送装置で取り扱われる容器１は、図１〜図４に示すように、平面形状が四角形の、上側が解放された箱形のもので、開口部の周囲には、補強と把手形成のために外側へ張り出す断面倒立Ｌ形の張出しリブ１ａが一体成形され、底部には、開口部の内側に嵌合し得るサイズの突出台部１ｃが一体成形されている。この構成では、前記断面倒立Ｌ形の張出しリブ１ａの垂直壁部２８ａの下端面が、前記容器支持用ピン１７ａ，１７ｂによって支持される下向き段面となっている。勿論、容器１としては図示の構造のものに限定されない。例えば、張出しリブ構造に関しては、図８Ａ及び図８Ｂの仮想線と図９Ａ〜図１０Ｂに示すように、水平板状に張り出す上側張出しリブ１ｂと、断面倒立Ｌ形の下側張出しリブ１ａとを備えた上下二段構造の張出しリブ構造を備えた容器であっても良い。この場合の前記容器支持用ピン１７ａ，１７ｂによって支持される下向き段面は、断面倒立Ｌ形の下側張出しリブ１ａの垂直壁部２８ａの下端面と、水平板状の上側張出しリブ１ｂの下側面の両方になる。
【００１８】
上記構成の昇降搬送装置が併設された容器１の保管エリア内には、上記容器１が、その四側辺が水平縦方向と水平横方向とに平行になる向きに置かれている。而して、その内の特定の容器１を、その位置から別の場所へ搬送する場合、図１に示すように、搬送対象の容器１が、平面視における昇降搬送装置の中心位置ＣＰと当該容器１の中心位置とが一致するように、昇降搬送装置を走行させて、搬送対象の容器１の真上位置に停止させる。次に、平面視において、搬送対象の容器１の外側に容器支持装置２Ａ，２Ｂと各位置決め部材３ａ〜４ｂが位置する状態で、昇降駆動用平ベルト１０ａ，１０ｂを駆動して、水平横方向一対の支柱部材６ａ，６ｂと４本の位置決め部材３ａ〜４ｂを下降させ、図３に示すように、搬送対象の容器１の張出しリブ１ａの真横（図３のように、段積みされた上下複数の容器１が搬送対象であるときは、その最下段の容器１の張出しリブ１ａの真横）に、容器支持装置２Ａ，２Ｂの下側容器支持手段１１と各位置決め部材３ａ〜４ｂを位置させる。このとき、搬送対象の容器１が、多数の段積み容器であって、容器支持装置２Ａ，２Ｂの上側容器支持手段１２の内側にも搬送対象の容器１が位置する場合もある。
【００１９】
上記のように容器支持装置２Ａ，２Ｂと各位置決め部材３ａ〜４ｂを所定高さまで下降させたならば、次に、横動台５Ａ，５Ｂを水平横方向に互いに接近移動させると共に、各横動台５Ａ，５Ｂ上の可動台７ａ〜８ｂを、水平縦方向に互いに接近移動させて、図２及び図４に示すように、搬送対象の容器１の四隅に各位置決め部材３ａ〜４ｂを嵌合させると同時に、両容器支持装置２Ａ，２Ｂにより、搬送対象の容器１を水平横方向両側から挟み付けるようにする。この結果、図４に示すように、両容器支持装置２Ａ，２Ｂにおける上下両容器支持手段１１，１２の容器支持用ピン１７ａ，１７ｂの内、搬送対象の容器１の張出しリブ１ａの垂直壁部２８ａの高さ範囲内にピン本体１８の先端平坦面１８ａが一部でも重なる高さにある容器支持用ピン１７ａ，１７ｂは、その先端平坦面１８ａが張出しリブ１ａの垂直壁部２８ａに当接して前進移動を阻止されるので、圧縮コイルバネ２５ｅの付勢力に抗して相対的にケーシング１１ａ〜１２ｂ内に退入することになり、その他の容器支持用ピン１７ａ，１７ｂのみが、圧縮コイルバネ２５の付勢力で突出位置に保持されたまま、搬送対象の容器１の外側に所定位置まで接近移動することになる。
【００２０】
以上のようにして、図２及び図４に示すように、水平横方向に互いに接近移動させた両容器支持装置２Ａ，２Ｂにより、搬送対象の容器１を水平横方向両側から挟み付けたならば、昇降駆動用平ベルト１０ａ，１０ｂを逆方向に駆動して、水平横方向一対の支柱部材６ａ，６ｂと４本の位置決め部材３ａ〜４ｂを上昇させることにより、両容器支持装置２Ａ，２Ｂの容器支持用ピン１７ａ，１７ｂの内、搬送対象の容器１の張出しリブ１ａの垂直壁部２８ａの直下に入り込んだ同一高さの２つの容器支持用ピン１７ａ又は１７ｂのピン本体１８が、搬送対象の容器１を吊り上げることになる。搬送対象の容器１を所定高さまで吊り上げたならば、両横動台５Ａ，５Ｂを備える搬送台車を水平縦方向と水平横方向とに走行させ、吊り上げている容器１を容器保管エリア内の容器降ろし位置の真上位置まで搬送させる。容器１を目的の容器降ろし位置の真上位置まで搬送させたならば、上記容器吊上げ手順とは逆の手順で昇降搬送装置を稼働させれば良い。
【００２１】
以上のように容器支持装置２Ａ，２Ｂにより容器１を吊上げ搬送することが出来るのであるが、以下、容器支持用ピン１７ａ，１７ｂのピン本体が、図８Ａ，図９Ａ，図１０Ａに示すように、従来の先細りテーパーピン状のピン本体２７である場合と、上記実施例で説明した本発明の先太りテーパーピン状のピン本体１８である場合との動作時の相違点について説明する。勿論、両者何れの場合も、各縦列における容器支持用ピン１７ａ，１７ｂの側面視における上下間隔Ｄは同一であり、隣接する縦列間では、容器支持用ピン１７ａ，１７ｂの上下方向位置は、間隔 0.5Ｄだけずれている。
【００２２】
図８Ａ及び図８Ｂに示すように、容器１側の断面倒立Ｌ形の張出しリブ１ａの垂直壁部２８ａの上下高さが、同一縦列にある容器支持用ピン１７ａ又は１７ｂの側面視における上下間隔Ｄよりも大きいが、その２倍（２Ｄ）より小さい場合、側面視で上下間隔２Ｄを隔てた２本の容器支持用ピン１７ａ又は１７ｂが、前記断面倒立Ｌ形の張出しリブ１ａを上下から挟む可能性がある。即ち、従来の先細りテーパーピン状のピン本体２７の場合、最小径の先端周面間の上下間隔が張出しリブ１ａの垂直壁部２８ａの高さより広くなって、図８Ａに示すように、上側ピン本体２７が張出しリブ１ａの水平板部２８ｂの上側に乗り上げると共に下側ピン本体２７が張出しリブ１ａの垂直壁部２８ａの下側に入り込み、両ピン本体２７の周面が張出しリブ１ａの上下両面（水平板部２８ｂの上面と垂直壁部２８ａの下端面）に圧接して両者間の摩擦抵抗が大きくなって、並列ケーシング１１ａ〜１２ｂが前進限位置に到達する前にピン本体２７が、圧縮コイルバネ２５の付勢力に抗して停止することになる。この状態では、上下両ピン本体２７と張出しリブ１ａとの間の摩擦抵抗が非常に大きくなっている。
【００２３】
これに対し本発明の先太りテーパーピン状のピン本体１８である場合は、図８Ｂに示すように、上下間隔２Ｄを隔てた２本の容器支持用ピン１７ａ，１７ｂの張出しリブ１ａに対する上下方向の位置が同じであるとしても、上下両ピン本体１８の内の一方、例えば下側のピン本体１８が、最大径の先端平坦面１８ａが張出しリブ１ａの垂直壁部２８ａの正面に当接してその位置で停止し、上側のピン本体１８は、最大径の先端平坦面１８ａが張出しリブ１ａの垂直壁部２８ａと水平板部２８ｂとの間の面取りされた角２８ｃに案内されて、上側に少し揺動しながら張出しリブ１ａの水平板部２８ｂの上面に移動することになる。このときのピン本体１８の揺動は、当該ピン本体１８を支持している正面部材２２の前側貫通孔２３ａと、この前側貫通孔２３ａ内に位置するピン本体１８の最小径基部との間の広い環状空間の範囲内で、無理なく容易に行われる。この結果、上側のピン本体１８は、その最大径の先端平坦面１８ａの周縁一箇所が張出しリブ１ａの水平板部２８ｂの上面に摺接する状態で前進移動を続けることになるが、このときの摩擦抵抗は、従来の先細りテーパーピン状のピン本体２７の周面がくさび作用的に張出しリブ１ａの上下両面に食い込んでゆく場合と比較して非常に小さく、従って、図示のように容器支持手段１１，１２と一体に前進限位置まで移動することになる。このように張出しリブ１ａの水平板部２８ｂの上面に重なる状態のピン本体１８が存在したとしても、当該張出しリブ１ａの水平板部２８ｂの上面とピン本体１８の最大径の先端平坦面１８ａの周縁一箇所とが圧接するだけで、その両者間の摩擦力は小さい。
【００２４】
図９Ａ及び図９Ｂに示すように、断面倒立Ｌ形の張出しリブ１ａ（以下、下側張出しリブ１ａという）の上側に、側面視において上下に隣接する２本の容器支持用ピン１７ａ又は１７ｂ間の間隔Ｄより少し広い間隔を隔てて水平板状の張出しリブ１ｂ（以下、上側張出しリブ１ｂという）が設けられている容器１においては、図９Ａに示すように、側面視において間隔Ｄを隔てて上下に隣接する２本の容器支持用ピン１７ａ，１７ｂにおける従来の先細りテーパーピン状のピン本体２７は、その両方の小径先端部が上下両張出しリブ１ａ，１ｂ間に入り込み、各ピン本体２７と張出しリブ１ａ，１ｂの上下両面との間の摩擦力が、容器支持用ピン１７ａ，１７ｂの前進移動に伴って増大し、各ピン本体２７に作用している圧縮コイルバネ２５の付勢力より前記摩擦力が勝った時点で容器支持用ピン１７ａ，１７ｂが停止し、並列ケーシング１１ａ〜１２ｂのみが圧縮コイルバネ２５の付勢力に抗して前進限位置まで前進移動することになる。この状態では、上下両ピン本体２７がくさび作用的に張出しリブ１ａ，１ｂ間に圧入した状態であって、上下両ピン本体２７と張出しリブ１ａ，１ｂとの間の摩擦抵抗が非常に大きくなっている。
【００２５】
これに対し本発明の先太りテーパーピン状のピン本体１８である場合は、図８Ｂに基いて説明した状況と同じように、図９Ｂに示すように、上下両ピン本体１８の最大径の先端平坦面１８ａの周辺一部分が張出しリブ１ａ，１ｂの垂直正面に当接してその位置で停止するか又は、上下両ピン本体１８の内の一方、例えば上側のピン本体１８は、最大径の先端平坦面１８ａが張出しリブ１ｂの先端の垂直端面に当接して停止するが、下側のピン本体１８は、その最大径の先端平坦面１８ａの周縁一箇所が張出しリブ１ａの垂直壁部２８ａと水平板部２８ｂとの間の面取りされた角２８ｃに案内されて、上方に少し揺動しながら張出しリブ１ａの水平板部２８ｂの上面に向かって移動し、その上方への揺動が、前側貫通孔２３ａとピン本体１８との当接により制限されたところで停止することになる。勿論、このときの２本の容器支持用ピン１７ａ又は１７ｂの位置がもう少し高ければ、図８Ｂと同様に、下側のピン本体１８は、その最大径の先端平坦面１８ａの周縁一箇所がリブ１ａの水平板部２８ｂの上面を摺動して、容器支持手段１１，１２と一体に前進限位置まで移動することになる。何れにしても、張出しリブ１ａ，１ｂの上下両面に重なる状態のピン本体１８が存在したとしても、当該張出しリブ１ａ，１ｂの上下両面とピン本体１８の最大径の先端平坦面１８ａの周縁一箇所とが圧接するだけで、その両者間の摩擦力は小さい。
【００２６】
又、図１０Ａに示すように、従来の先細りテーパーピン状のピン本体２７では、前記水平板状の張出しリブ１ｂの板厚が薄い場合に、隣接する２つの縦列にあって側面視では間隔 0.5Ｄを隔てて上下に隣接することになる２本の容器支持用ピン１７ａ，１７ｂのピン本体２７の最小径の先端部周面が前記水平板状の張出しリブ１ｂの端縁を挟み付けるような現象が生じる。このような現象が生じたときも、各ピン本体２７は、圧縮コイルバネ２５の付勢力より各ピン本体２７と張出しリブ１ｂとの間の摩擦抵抗力が大きくなった位置で停止し、その後は並列ケーシング１１ａ〜１２ｂが容器支持用ピン１７ａ，１７ｂに対して圧縮コイルバネ２５の付勢力に抗して前進限位置まで前進移動することになる。この結果、張出しリブ１ｂの端縁が２本の容器支持用ピン１７ａ，１７ｂのピン本体２７の最小径の先端部周面間に食い込むことになり、その両者間には多大な摩擦力が生じる。
【００２７】
これに対し本発明の構成では、側面視で上下に隣り合う、属する縦列が異なる２本の先太りテーパーピン状のピン本体１８は、側面視においてその最大径の先端どうしが互いに上下に一部重なるように構成しているので、図１０Ｂに示すように、間隔 0.5Ｄを隔てて上下に隣接することになる２本の容器支持用ピン１７ａ，１７ｂのピン本体１８間に張出しリブ１ｂの端縁が入り込む可能性は皆無である。
【００２８】
以上の図８Ｂ，図９Ｂ，及び図１０Ｂに基づく説明から明らかなように、本発明の先太りテーパーピン状のピン本体１８を備えた容器支持用ピン１７ａ，１７ｂの構成によれば、従来の先細りテーパーピン状のピン本体２７を備えた容器支持用ピンを使用している場合のように、容器支持用ピン１７ａ，１７ｂが容器１側に前進移動したときに、ピン本体の周面が容器１側の張出しリブの上下側面に食い込むように圧接して、その両者間に生じる摩擦力が甚大になるような可能性は無くなるので、容器搬送後に容器支持用ピン１７ａ，１７ｂを容器１の張出しリブから水平方向に離脱させるとき、前記両者間に生じる摩擦力によって容器支持用ピン１７ａ，１７ｂが容器１を引き摺ってその位置や姿勢を変えてしまうような不都合が生じる恐れも無くなる。
【００２９】
尚、本発明を実施する場合、搬送する容器１の積み重ね個数や重量などにより、容器支持装置２Ａ，２Ｂを構成している下側容器支持手段１１のみによって、積み重ねられている容器１を問題なく吊上げ搬送することが出来るならば、上側容器支持手段１２は省くことが出来る。又、容器支持装置２Ａ，２Ｂを構成している容器支持手段１１，１２における容器支持用ピン１７ａ，１７ｂの配列は、図示の実施例の配列に構成することにより、間隔の広い狭いはあるが、常に容器１の平行両側部の巾方向の中央を通る上下方向中心線に対して左右対称の２か所を同一高さの容器支持用ピン１７ａ，１７ｂによって支持することが出来、しかも容器を支持出来る上下方向の間隔が、容器支持用ピン１７ａ，１７ｂの各縦列での上下間隔Ｄの半分の間隔 0.5Ｄに狭めることが出来る。
【産業上の利用可能性】
【００３０】
本発明の物品搬送用容器の昇降搬送装置は、両手で持ち上げることが出来る程度の小型の物品搬送用容器を、平面上に直置きするタイプの保管設備において、当該容器の両側辺を剣山構造の容器支持手段によって挟持して、吊上げ搬送することが出来る装置として活用することが出来る。
【符号の説明】
【００３１】
１    容器
１ａ，１ｂ    張出しリブ
２Ａ，２Ｂ    容器支持装置
３ａ〜４ｂ    位置決め部材
５Ａ，５Ｂ    横動台
６ａ，６ｂ    支柱部材
７ａ〜８ｂ    可動台
１０ａ，１０ｂ    昇降駆動用平ベルト
１１，１２    容器支持手段
１１ａ〜１２ｂ    並列ケーシング
１３    昇降用ガイドレール
１４    ガイドブロック
１５，１６    受け座
１７ａ，１７ｂ    容器支持用ピン
１８    ピン本体
１９    フランジ部
２０    太軸部
２１    細軸部
２２    正面部材
２３ａ    前側貫通孔
２３ｂ    後ろ側貫通孔
２４    背面部材
２５    圧縮コイルバネ
２６    側面部材
２７    先細りテーパーピン状のピン本体
【図１】
2020007080.tif 000003
【図２】
2020007080.tif 000004
【図３】
2020007080.tif 000005
【図４】
2020007080.tif 000006
【図５】
2020007080.tif 000007
【図６】
2020007080.tif 000008
【図７】
2020007080.tif 000009
【図８】
2020007080.tif 000010
【図９】
2020007080.tif 000011
【図１０】
2020007080.tif 000012